(57)【特許請求の範囲】
【請求項１】
天井又は壁の下地面に、並べて取り付けられる複数枚の矩形状表面パネルの内の少なくとも１枚を、取り外し可能に取り付けるための表面パネル取付構造であって、
下部が開口した中空状の取付ベースは、前記天井又は壁の下地面に形成された取付け用開口の内部に差し込まれて固定される一方、前記取付ベースの内部に、下部が開口した中空状の調整部材が収容され、この調整部材は、取付ベース内で上下移動が規制され、左右方向の移動が許容されていて、この調整部材の内部に係合部が設けられるとともに、前記表面パネルの裏面に被係合部が設けられて、表面パネルの被係合部を取付ベースの開口から調整部材の開口内に差し込むことで、係合部に係合されて、下地面に表面パネルが取り付けられるようにしたことを特徴とする表面パネル取付構造。
【請求項２】
前記取付ベースの開口に内向きのフランジ部が形成され、前記調整部材の開口に外向きのフランジ部が形成されて、調整部材のフランジ部は、取付ベースのフランジ部に載置して左右方向に移動させた時に、取付ベースのフランジ部から外れない外形状に設定されていることを特徴とする請求項１に記載の表面パネル取付構造。
【請求項３】
前記調整部材は、取付ベースの上底部とフランジ部との間で上下移動が規制されることを特徴とする請求項２に記載の表面パネル取付構造。
【発明の詳細な説明】
【技術分野】
【０００１】
本発明は、表面パネル取付構造に関する。
【背景技術】
【０００２】
従来、天井又は壁の下地面に、並べて取り付けられる複数枚の矩形状表面パネルの内の少なくとも１枚を、取り外し可能に取り付けることがある。特に、スピーカーや照明といった機能が表面パネルに付加されている場合、メンテナンス等のために下地面に対して、表面パネルを簡単に取り付け・取り外しできることが望まれている。
【０００３】
その場合、下地面に形成された取付け用開口の内部に係合部を設け、表面パネルの裏面に被係合部を設ける。そして、表面パネルの被係合部を下地面の取付け用開口に差し込むことで、係合部に弾性力で係合されて、下地面に表面パネルが弾性力で取り付けられるようになる。
【０００４】
なお、表面パネルとは異なる天井埋込型空気調和機であるが、化粧パネルをビス穴の径で定める範囲内で水平左右方向に移動できるようにしたものがある（特許文献１参照）。
【特許文献１】実開平６−１８８１７号公報
【発明の開示】
【発明が解決しようとする課題】
【０００５】
しかしながら、施工現場において、下地面に取付け用開口を形成する時に、正規の位置に取付け用開口をあけることができない場合が多い。このように、穴位置がずれたような場合には、既に取り付けられた表面パネルの間に、取り外し可能な表面パネルを取り付けられなくなるという問題があった。
【０００６】
本発明は、前記問題を解消するためになされたもので、取付け用開口の穴位置がずれている場合でも、取り外し可能な表面パネルを正確に取り付けることができる表面パネル取付構造を提供することを目的とするものである。
【課題を解決するための手段】
【０００７】
前記課題を解決するために、本発明は、天井又は壁の下地面に、並べて取り付けられる複数枚の矩形状表面パネルの内の少なくとも１枚を、取り外し可能に取り付けるための表面パネル取付構造であって、下部が開口した中空状の取付ベースは、前記下地面に形成された取付け用開口の内部に差し込まれて固定される一方、前記取付ベースの内部に、下部が開口した中空状の調整部材が収容され、この調整部材は、取付ベース内で上下移動が規制され、左右方向の移動が許容されていて、この調整部材の内部に係合部が設けられるとともに、前記表面パネルの裏面に被係合部が設けられて、表面パネルの被係合部を取付ベースの開口から調整部材の開口内に差し込むことで、係合部に係合されて、下地面に表面パネルが取り付けられるようにしたことを特徴とする表面パネル取付構造を提供するものである。
【０００８】
請求項２のように、前記取付ベースの開口に内向きのフランジ部が形成され、前記調整部材の開口に外向きのフランジ部が形成されて、調整部材のフランジ部は、取付ベースのフランジ部に載置して左右方向に移動させた時に、取付ベースのフランジ部から外れない外形状に設定されていることが好ましい。
【０００９】
請求項３のように、前記調整部材は、取付ベースの上底部とフランジ部との間で上下移動が規制されることが好ましい。
【発明の効果】
【００１０】
本発明によれば、天井等の下地面の取付け用開口は、穴位置のずれを見込んだ分だけ大きく形成しておき、この取付け用開口の内部に、中空状の調整部材を収容した中空状の取付ベースを差し込んで固定しておく。そして、下地面に既に取り付けられた表面パネルの間に、取り外し可能な表面パネルを取り付けるに際して、取付け用開口の穴位置がずれていたとしても、表面パネルの被係合部に合致するように、調整部材が取付ベース内で左右方向に移動させることができる。この調整部材の左右方向に移動により、既に取り付けられた表面パネルの間に、取り外し可能な表面パネルを正確に取り付けることができるようになる。
【００１１】
また、取付ベースを下地面に固定する場合、その開口に形成した外向きのフランジ部を天井等に当てがってねじ等で固定するが、このフランジ部は、ねじ等で固定するための最小限の外形状で良いから、取付ベースを小型・軽量化できるようになる。これにより、取付ベースの材料費等のコストを削減できるようになる。
【００１２】
請求項２によれば、取付ベースのフランジ部に載置した調整部材のフランジ部は、左右方向に移動させた時でも、取付ベースのフランジ部から外れない外形状に設定したから、調整部材が取付ベースから脱落するおそれがなくなる。
【００１３】
請求項３によれば、取付ベースの上底部とフランジ部との間で調整部材の上下移動を規制するようにしたから、規制のための別部品が不要になる。
【発明を実施するための最良の形態】
【００１４】
以下、本発明を実施するための最良の形態について、図面を参照しながら詳細に説明する。
【００１５】
図３（ａ）（ｂ）は参考例であり、建物内の天井下地材（下地面）１の下面には、格子状の枠材９が取り付けられ、この枠材９の各枠９ａ内に、複数枚の矩形状表面パネル３が面一で縦横に並べて取り付けられている。本例の表面パネル３は、例えば３０〜４５ｃｍ角程度の正四角形状に形成されていて、表面（下面）が彩色や模様等で化粧されたものであり、木質材、樹脂材、セラミック材、これらの複合材等で製造されている。
【００１６】
そして、これら複数枚の矩形状表面パネル３の全てを取り外し可能に取り付ける必要は無く、少なくとも１枚が取り外し可能に取り付けられれば良い。以下では、図３（ａ）の中央部分の枠９ａ内に取り外し可能に取り付けられる表面パネル３のみについて説明する。なお、図３（ａ）の中央部分の枠９ａ内には、表面パネル３を取り付けていない状態であり、次述する取付け用開口２が見えている。
【００１７】
図３（ｂ）のように、表面パネル３を取り付ける天井下地材１の取り付け位置には、枠９ａ内の中央部分に取付け用開口２が形成されている。この取付け用開口２に下方から差し込んだ時に、天井下地材１の内部に突出する筒状部５ｇを有する取付ベース５´が設けられ、この取付ベース５´の外向きの下フランジ部５ａを天井下地材１の下面に当て止めることで位置決めされるようになる。この下フランジ部５ａをねじ等で天井下地材１に固定することで、天井下地材１に固定されるようになる。
【００１８】
この取付ベース５´の内周面には、円周上等角度間隔で複数個（本例では１８０度間隔で２個）のばね掛かり穴部（係合部）５ｂが設けられている。
【００１９】
表面パネル３の裏面の中央部分には、天井下地材１の取付ベース５´内に下方から差し込み可能な複数個（本例では１８０度間隔で２個）の板ばね（被係合部）７が設けられている。各板ばね７は、側面視で外向きに略く字状に屈曲されて、下端ベース部が表面パネル３の裏面にねじ等で固定されている。なお、板ばね７に代えて、ボールとコイルばね等を組み合わせたクリック状のばね部であっても良い。
【００２０】
そして、表面パネル３の板ばね７を天井下地材１の取付ベース５´内に下方から差し込むと、表面パネル３の板ばね７が取付ベース５´のばね掛かり穴部５ｂに入りこんで、ばね力（弾性力）で係合するようになる。これにより、表面パネル３が枠９ａ内に嵌り込んだ状態で天井下地材１の取付ベース５´に取り付けられるようになる。
【００２１】
ところで、図３（ｂ）のように、施工現場において、天井下地材１に取付け用開口２を形成する時に、正規の位置（本例では、枠９ａ内の中央部分）に取付け用開口２をあけることができず、穴位置がずれる場合がある（符号ａ参照）。このように、穴位置がずれた取付け用開口２に差し込んだ取付ベース５´の下フランジ部５ａをねじ等で天井下地材１に固定すれば、表面パネル３を枠９ａ内に嵌め込むことができないので、取付ベース５´に取り付けられなくなる。
【００２２】
そこで、図１（ａ）（ｂ）の実施形態に示すように、天井下地材１の取付け用開口２は、穴位置のずれを見込んだ分だけ大きく形成する。
【００２３】
また、取付ベース５は、下部に開口５ｃを有する中空状（筒状部５ｇ）として、この取付ベース５は、開口５ｃに形成された外向き下フランジ部５ａを天井下地材１の下面に当て止めて、ねじ等で天井下地材１に固定されるようになる。
【００２４】
取付ベース５の開口５ｃには、内向き下フランジ部５ｄが形成され、この下フランジ部５ｄと周壁部５ｅと上底部５ｆとで囲まれた内部に中空スペースＳが形成されるようになる。
【００２５】
取付ベース５の内部、つまり中空スペースＳには、下部に開口１０ａを形成した中空状（筒状）の挿入部を有する調整部材１０が収容されている。この調整部材１０は、開口１０ａに形成された外向き下フランジ部１０ｂが取付ベース５の内向き下フランジ部５ｄに載置されるようになる。
【００２６】
この調整部材１０は、取付ベース５の中空スペースＳ内で、取付ベース５の上底部５ｆと内向き下フランジ部５ｄとの間で上下移動（矢印ｂ参照）が規制されるようになる。また、外向き下フランジ部１０ｂが取付ベース５の周壁部５ｅに当たるまでの間で、左右方向の移動（矢印ｃ参照）が許容されている。この左右方向の移動の許容量は、取付け用開口２の穴位置のずれ量をカバーするものとする。
【００２７】
また、調整部材１０の外向き下フランジ部１０ｂは、調整部材１０を左右方向に移動させた時に、取付ベース５の内向き下フランジ部５ｄから外れない外形状に設定されている。
【００２８】
さらに、調整部材１０の内周面には、円周上等角度間隔で複数個（本例では１８０度間隔で２個）のばね掛かり穴部（係合部）１０ｂが設けられている。
【００２９】
前記のような構成において、表面パネル３を取り付ける場合には、表面パネル３の板ばね７を天井下地材１の取付ベース５の開口５ｃを介して調整部材１０の開口１０ａに差し込む。これにより、表面パネル３の板ばね７が調整部材１０のばね掛かり穴部１０ｃに入り込んで、ばね力（弾性力）で係合するようになる。この結果、表面パネル３が枠９ａ内に嵌り込んだ状態で天井下地材１の取付ベース５に調整部材１０を介して取り付けられるようになる。
【００３０】
一方、表面パネル３を取り付けるに際して、図２（ａ）のように、取付け用開口２の穴位置がずれていたとしても、図２（ｂ）のように、表面パネル３の板ばね７に合致するように、調整部材１０を取付ベース５内で左右方向に移動（矢印ｃ参照）させることができる。
【００３１】
したがって、前述と同様に、表面パネル３の板ばね７を天井下地材１の取付ベース５の開口５ｃを介して調整部材１０の開口１０ａに差し込む。これにより、表面パネル３の板ばね７が調整部材１０のばね掛かり穴部１０ｃに入り込んで、ばね力（弾性力）で係合するようになる。この結果、表面パネル３が枠９ａ内に嵌り込んだ状態で天井下地材１の取付ベース５に調整部材１０を介して取り付けられるようになる。
【００３２】
このように、調整部材１０の左右方向に移動により、既に取り付けられた表面パネル３の間の枠９ａ内に、取り外し可能な表面パネル３を正確に取り付けることができるようになる。
【００３３】
また、取付ベース５を天井下地材１に固定する場合、その開口５ｃに形成した外向きフランジ部５ａを天井下地材１に当てがってねじ等で固定する。この場合、フランジ部５ａは、ねじ等で固定するための最小限の外形状で良いから、取付ベース５を小型・軽量化できるようになる。これにより、取付ベース５の材料費等のコストを削減できるようになる。
【００３４】
さらに、取付ベース５の内向きフランジ部５ｄに載置した調整部材１０の外向きフランジ部１０ｂは、左右方向に移動させた時でも、取付ベース５の内向きフランジ部１０ｄから外れない外形状に設定している。これにより、調整部材１０が取付ベース５から脱落するおそれがなくなる。
【００３５】
また、取付ベース５の上底部５ｆと内向き下フランジ部５ｄとの間で調整部材１０の上下移動を規制するようにしたから、規制のための別部品が不要になる。
【００３６】
前記実施形態では、天井下地材１に表面パネル３を取り付けたが、壁面に表面パネル３を取り付けることもできる。
【００３７】
前記実施形態では、表面パネル３は、表面（下面）が彩色や模様等で化粧されたものであったが、例えば、スピーカーや照明器具を組み込んだ表面パネル３とすることができる。スピーカーを組み込んだ場合には、調整部材１０の内部空間に加振器を嵌め込むことができる。照明器具を組み込んだ場合には調整部材１０の内部空間に安定器を嵌め込むことができる。いずれの場合にも、表面パネル３を簡単かつ迅速に取り外せるので、メンテナンスが容易に行えるようになる。
【図面の簡単な説明】
【００３８】
【図１】本発明の実施形態の表面パネル取付構造であり、（ａ）は取付ベースと調整部材の断面図、（ｂ）は調整部材を左右方向に移動させた状態の断面図である。
【図２】（ａ）は取り付け前の表面パネルと調整部材との関係を示す断面図、（ｂ）は取り付け途中の表面パネルと調整部材との関係を示す断面図である。
【図３】参考例であり、（ａ）は表面パネルの取り付け状態の平面図、（ｂ）は取り付け前の表面パネルと取付ベースとの関係を示す断面図である。
【符号の説明】
【００３９】
１    天井下地材（下地面）
２    取付け用開口
３    表面パネル
５    取付ベース
５ａ  外向き下フランジ部
５ｃ  開口
５ｄ  内向き下フランジ部
５ｆ  上底部
５ｇ  筒状部
７    板ばね（被係合部）
９    枠材
９ａ  枠
１０  調整部材
１０ａ  開口
１０ｂ  外向き下フランジ部
１０ｃ  ばね掛かり穴部（係合部）
【図１】
0004788725.tif 000002
【図２】
0004788725.tif 000003
【図３】
0004788725.tif 000004